(57)【要約】  本発明は防護柵に係り、とりわけ建造物の建設中に、建造物床の周縁で用いられる。一の形態において、本発明は、建造物の建設中に、建造物床の周縁の柵で囲む領域に立設して用いられる防護柵モジュールを提供し、防護柵モジュールは、作業者または物体が建造物床から下方の地面へ通過することを防止する柵パネルと、柵パネルに連結された支柱を収容するための少なくとも１つのおもり脚部ブロックであって、建造物床上に載置されるとともに、柵パネルを建造物床に対して実質的に直立する位置に保持するよう、柵パネルに対する荷重および力に対抗するように構成された、脚部ブロックとを含み、柵パネルは、所定の高さから実質的な建造物床レベルまで下方に延びる幾何学形状を有する。
2011501005.tif 000002
【特許請求の範囲】
【請求項１】
好ましくは建造物の建設中に、建造物床の周縁の柵で囲む領域に立設して用いられる防護柵モジュールにおいて、
作業者または物体が前記建造物床から下方の地面へ通過することを防止する柵パネルと、
前記柵パネルに連結された支柱を収容するための少なくとも１つのおもり脚部ブロックであって、前記建造物床上に載置されるとともに、前記柵パネルを前記建造物床に対して実質的に直立する位置に保持するよう、前記柵パネルに対する荷重および力に対抗するように構成された、脚部ブロックとを含み、
前記柵パネルは、所定の高さから実質的な建造物床レベルまで下方に延びる幾何学形状を有する、防護柵モジュール。
【請求項２】
前記柵パネルは、
幅が決められた矩形の第１パネル部であって、所定の高さから前記脚部ブロック上方まで下方に延びるように位置づけられた、第１パネル部と、
前記第１パネル部より幅が狭く、前記第１パネル部から実質的な建造物床レベルまで下方に延びるように位置づけられたキックボード部とを有し、
これにより、前記柵パネルに、前記脚部ブロックを収容するための少なくとも１つの内方段付き凹部を提供する、請求項１記載の防護柵モジュール。
【請求項３】
前記キックボード部は、前記キックボード部を前記第１パネル部に取り外し可能に取り付けるための取付手段を含む、請求項２記載の防護柵モジュール。
【請求項４】
前記キックボード部は、前記第１パネル部と一体化されている、請求項２記載の防護柵モジュール。
【請求項５】
建造物床上に配置したとき、前記脚部ブロックは、長さ方向において、前記柵パネルの平面を横切って延び、かつ前記脚部ブロックは、幅方向において、少なくとも部分的に前記内方段付き凹部内に収容される、請求項２乃至４のいずれか一項記載の防護柵モジュール。
【請求項６】
前記第１パネル部は、第１ワイヤ状メッシュ材料から形成され、前記第１ワイヤ状メッシュ材料は、隣接するワイヤ同士の間で第１空間距離を有し、前記キックボード部は、第２ワイヤ状メッシュ材料から形成され、前記第２ワイヤ状メッシュ材料は、隣接するワイヤ同士の間で第２空間距離を有し、前記第２空間距離は、前記隣接するワイヤのうちの少なくとも一部において、前記第１空間距離より短い、請求項２記載の防護柵モジュール。
【請求項７】
前記第１ワイヤ状メッシュ材料および前記第２ワイヤ状メッシュ材料は、複数の実質的に垂直なワイヤおよび実質的に水平なワイヤを含む、請求項６記載の防護柵モジュール。
【請求項８】
それぞれの前記実質的に水平なワイヤについて、前記第２空間距離は、前記第１空間距離より短い、請求項７記載の防護柵モジュール。
【請求項９】
前記実質的に垂直なワイヤにおける、前記第１空間距離および前記第２空間距離は、前記柵パネルの幅全体にわたって実質的に等しく、かつ前記第２ワイヤ状メッシュ材料の前記実質的に垂直なワイヤは、その延長上で、前記第１ワイヤ状メッシュ材料の前記実質的に垂直なワイヤと一体化されている、請求項７または８記載の防護柵モジュール。
【請求項１０】
隣接する前記実質的に水平なワイヤ間における前記第１空間距離は、３０ｍｍ乃至８０ｍｍ、好ましくは５０ｍｍであり、隣接する前記実質的に水平なワイヤ間における前記第２空間距離は、３ｍｍ乃至２９ｍｍ、好ましくは１０ｍｍである、請求項８または９記載の防護柵モジュール。
【請求項１１】
前記脚部ブロックは、支柱を収容するために形成された少なくとも１つの穴を含み、前記穴は、前記穴の内面を強化および保護するための管状挿入物を含む、請求項１乃至１０のいずれか一項記載の防護柵モジュール。
【請求項１２】
前記管状挿入物は、中空鋼鉄管を含む、請求項１１記載の防護柵モジュール。
【請求項１３】
前記防護柵モジュールに対して強度を追加するために、前記脚部ブロックと前記柵パネルとの間に延びる少なくとも１つの強化柱を更に含む、請求項１乃至１２のいずれか一項記載の防護柵モジュール。
【請求項１４】
前記防護柵モジュールは、第１柵パネルである柵パネルを含み、前記防護柵モジュールの高さを増加するために、前記第１柵パネル上に第２柵パネルを収容するように構成されている、請求項１乃至１３のいずれか一項記載の防護柵モジュール。
【請求項１５】
前記第１柵パネルおよび前記第２柵パネルは、複数の方向を向いて配置されている、請求項１４記載の防護柵モジュール。
【請求項１６】
建造物の建設中に、建造物床の周縁の柵で囲む領域に立設して用いられる防護柵において、前記防護柵は、請求項１乃至１５のいずれか一項記載の防護柵モジュールを複数含み、各前記モジュールは、各前記モジュール間の空間を最小化するために互いに隣接して配置され、これにより実質的に連続した柵を形成する、防護柵。
【請求項１７】
各モジュールは、必要とされる脚部ブロックの数を最小化するとともに各モジュール間の空間を更に最小化するために、隣接するモジュールとの間で少なくとも１つの脚部ブロックを共有する、請求項１６記載の防護柵。
【請求項１８】
各モジュールは、クランプ部材によって、隣接するモジュールに連結されている、請求項１６または１７記載の防護柵。
【請求項１９】
好ましくは建造物の建設中に、建造物床の周縁で用いられる、防護柵モジュールに取り付けるためのキックボードであって、
前記防護柵モジュールは、作業者または物体が前記建造物床から下方の地面へ通過することを防止する柵パネルと、前記柵パネルに連結された支柱を収容するための少なくとも１つのおもり脚部ブロックであって、前記建造物床上に載置されるとともに、前記柵パネルを前記建造物床に対して実質的に直立する位置に保持するよう、前記柵パネルに対する荷重および力に対抗するように構成された、脚部ブロックとを含み、前記柵パネルは、所定の高さから前記建造物床レベルの上方のある高さまで下方に延び、
前記キックボードは、
前記柵パネルから実質的な前記建造物床レベルまで下方に延びて配置された幾何学的形状のパネル部材と、
前記パネル部材を前記柵パネルに取り外し可能に取り付けるための取付手段とを含む、キックボード。
【請求項２０】
建造物の建設中に、建造物床を保護する方法において、
請求項１乃至１５のいずれか一項記載の防護柵モジュールを複数準備する工程と、
前記防護柵モジュールの隣接する前記柵パネルが、前記柵パネル同士の間の空間を最小化しながら実質的に連続的な柵を形成するように、前記建造物床の周縁の少なくとも一部分を辿って前記複数の防護柵モジュールを立設する工程とを含む、方法。
【請求項２１】
前記建造物床の周縁に前記複数の防護柵モジュールを立設する工程は、
複数の前記脚部ブロックを前記建造物床の表面上に位置決めする工程と、
前記柵パネルを前記位置決めされた脚部ブロックに連結する工程とを含む、請求項２０記載の方法。
【請求項２２】
好ましくは建造物の建設中に、建造物床の周縁の柵で囲う領域に立設して用いられる柵パネルにおいて、
第１ワイヤ状メッシュ材料から形成された第１パネル部であって、前記第１ワイヤ状メッシュ材料は、隣接するワイヤ同士の間で第１空間距離を有する、第１パネル部と、
第２ワイヤ状メッシュ材料から形成された第２パネル部であって、前記第２ワイヤ状メッシュ材料は、隣接するワイヤ同士の間で第２空間距離を有する、第２パネル部とを含み、
前記第２空間距離は、前記隣接するワイヤのうちの少なくとも一部において、前記第１空間距離より短い、柵パネル。
【請求項２３】
前記第２パネル部は、前記建造物床に隣接して配置され、前記第１パネル部は、前記建造物床に対して前記第２パネル部より上方に配置される、請求項２２記載の柵パネル。
【請求項２４】
前記第１ワイヤ状メッシュ材料および前記第２ワイヤ状メッシュ材料は、複数の実質的に垂直なワイヤおよび実質的に水平なワイヤを含む、請求項２２または２３記載の柵パネル。
【請求項２５】
それぞれの前記実質的に水平なワイヤについて、前記第２空間距離は、前記第１空間距離より短い、請求項２４記載の柵パネル。
【請求項２６】
前記実質的に垂直なワイヤにおける、前記第１空間距離および前記第２空間距離は、前記柵パネルの幅全体にわたって実質的に等しく、かつ前記第２ワイヤ状メッシュ材料の前記実質的に垂直なワイヤは、その延長上で、前記第１ワイヤ状メッシュ材料の前記実質的に垂直なワイヤと一体化されている、請求項２４または２５記載の柵パネル。
【請求項２７】
隣接する前記実質的に水平なワイヤ間における前記第１空間距離は、３０ｍｍ乃至８０ｍｍ、好ましくは５０ｍｍであり、隣接する前記実質的に水平なワイヤ間における前記第２空間距離は、３ｍｍ乃至２９ｍｍ、好ましくは１０ｍｍである、請求項２５または２６記載の柵パネル。
【請求項２８】
前記第２パネル部の各端部を切り欠いて形成した凹部を更に含む、請求項２１乃至２７のいずれか一項記載の柵パネル。
【請求項２９】
好ましくは建造物の建設中に、建造物床の周縁の柵で囲う領域に立設して用いられる柵パネルを形成する方法において、
ワイヤ状メッシュパネルシートを形成する工程を少なくとも含み、
前記メッシュパネルシートは、隣接するワイヤ同士の間で第１空間距離を有する第１パネル部と、隣接するワイヤ同士の間で第２空間距離を有する第２パネル部とを含み、前記第２空間距離は、前記隣接するワイヤのうちの少なくとも一部において、前記第１空間距離より短い、方法。
【請求項３０】
前記メッシュパネルシートを所望の長さに切断する工程と、
前記第２パネル部の各端部に、内方段付き凹部を形成し、これにより、前記第２パネル部の長さを前記第１パネル部の幅より短くする工程とを更に含む、請求項２９記載の方法。
【請求項３１】
前記メッシュパネルシートは、複数の実質的に垂直なワイヤおよび実質的に水平なワイヤを含み、前記メッシュパネルシートは、前記水平なワイヤを前記垂直なワイヤに載置し、前記水平なワイヤと前記垂直なワイヤとを、複数の交点で互いに溶着することによって形成される、請求項２９または３０記載の方法。
【請求項３２】
前記メッシュパネルシートは、複数の実質的に垂直なワイヤおよび実質的に水平なワイヤを含み、前記メッシュパネルシートは、前記水平なワイヤを前記垂直なワイヤ間に編み込むことによって形成される、請求項２９または３０記載の方法。
【発明の詳細な説明】
【技術分野】
【０００１】
本発明は、防護柵に係る。とりわけ本発明は、建造物の建設中に、建造物床の周縁で用いられることが想定される。
【背景技術】
【０００２】
防護柵は、空間を柵で囲むべき場合、または制限された領域または危険な領域に対してアクセスすることを防止する場合において、様々な用途に用いられることが見受けられる。建設業において、作業者または物体が下方の地面へ落下することから保護するため、建設中の高層ビルの床の周縁に防護柵を立設することが知られており、これにより危険かつ有害な状況を回避している。
【０００３】
このような防護柵は、典型的には、建造物の各床の周縁に一時的にボルト留めまたはクランプ留めされた複数の柵モジュールまたは複数のパネルを含む。これらモジュールは、建造物床に対して実質的に垂直に着座してボルトまたはクランプを用いて支柱間に締結された、複数のパネル部を含む。柱は、それ自体脚フランジまたはそれと同様のものを有しており、これは、建造物のコンクリート床にボルト留めされ、さもなくば恒久的にクランプ留めされる。
【発明の概要】
【発明が解決しようとする課題】
【０００４】
建造物のコンクリート床内に穿孔し、その後柵を所望の場所に位置決めし、かつボルトを取り付けることが必要となるため、柵を床にボルト留めすることは、重労働であるとともに時間がかかる。さらに、仮に、作業者により建造物床周縁にアクセスすることが必要となった場合、柵部を取り除いて移動しなければならず、これはボルトの除去と、その後更にコンクリート床内に穿孔することとが必要となる。この過程は再び時間を要し、重労働であり、したがって費用がかかる。
【０００５】
柵部を床にクランプ留めすることは、さらに相当な労働と時間とを伴う。クランプを床の周縁の端部に取り付けて柵を設置するとき、作業者は、建造物の端部に隣接して身を置くことになるであろうから、この場合、作業者に対して更に潜在的に危険な状況を生じる。
【０００６】
ボルト留めまたはクランプ留めされた柵を立設する時間および労働力が十分与えられたとしても、作業者は、例えば必要なボルトの全てを取り付けなかったり、および／またはコンクリート床に不正確に穿孔したり、および／またはコンクリートボルトを不正確に設置したりすることにより、このような柵を急いでかつ不正確に設置しようとすることが知られている。この結果、誤って設置することとなって、潜在的に危険な状況が生じる。
【０００７】
このような状況に照らした場合、より短い時間で組み立ておよび／または設置をすることができ、それでも地面より高い建設現場で働く人々の安全を確保することができる、防護柵を提供することが望ましい。
【課題を解決するための手段】
【０００８】
一つの側面において、本発明は、建造物の建設中に、建造物床の周縁の柵で囲む領域に立設して用いられる防護柵モジュールにおいて、作業者または物体が前記建造物床から下方の地面へ通過することを防止する柵パネルと、前記柵パネルに連結された支柱を収容するための少なくとも１つのおもり脚部ブロックであって、前記建造物床上に載置されるとともに、前記柵パネルを前記建造物床に対して実質的に直立する位置に保持するよう、前記柵パネルに対する荷重および力に対抗するように構成された、脚部ブロックとを含み、前記柵パネルは、所定の高さから実質的な建造物床レベルまで下方に延びる幾何学形状を有する、防護柵モジュールを提供する。
【０００９】
一形態において、前記柵パネルは、幅が決められた矩形の第１パネル部であって、所定の高さから前記脚部ブロック上方まで下方に延びるように位置づけられた、第１パネル部と、前記第１パネル部より幅が狭く、前記第１パネル部から実質的な建造物床レベルまで下方に延びるように位置づけられたキックボード部とを有し、これにより、前記柵パネルに、前記脚部ブロックを収容するための少なくとも１つの内方段付き凹部を提供する。一般に平面矩形形状を有する伝統的な柵パネルと比較して、本発明の一形態による柵パネルは、低い方の端部に角部の「切欠き」を有し、これにより、柵パネルの幅方向両端に、防護柵モジュールの支柱を直立状態の位置で固定するための脚部ブロックを収容するための内方段付き凹部を提供する。
【００１０】
前記キックボード部は、前記キックボード部を前記第１パネル部に取り外し可能に取り付けるための取付手段を含んでいても良い。パネル部を２つの分離された部分に細かく分割し、このうち低い方の部分を取り外し可能とすることにより、モジュール全体を取り除くことなく、防護柵モジュールの他の側へのアクセスを制限することができる。この取り外し可能な第２の部分はまた、パネル部の全ての長さを必要としないであろう他の領域および他の用途、例えば、群衆の管理、または小さい物が柵内に落下して入ることが特に問題とならない領域、あるいは高低差のある地面のために、防護柵モジュールを用いることをも可能にする。
【００１１】
あるいは、製造を容易にするため、前記キックボード部は、前記第１パネル部と一体化されていてもよい。
【００１２】
他の形態において、建造物床上に配置したとき、前記脚部ブロックは、長さ方向において、前記柵パネルの平面を横切って延び、かつ前記脚部ブロックは、幅方向において、少なくとも部分的に前記内方段付き凹部内に収容され、これにより頑丈かつしっかりした構造とすることができる。
【００１３】
一実施の形態において、前記第１パネル部は、第１ワイヤ状メッシュ材料から形成され、前記第１ワイヤ状メッシュ材料は、隣接するワイヤ同士の間で第１空間距離を有し、前記キックボード部は、第２ワイヤ状メッシュ材料から形成され、前記第２ワイヤ状メッシュ材料は、隣接するワイヤ同士の間で第２空間距離を有し、前記第２空間距離は、前記隣接するワイヤのうちの少なくとも一部において、前記第１空間距離より短い。
【００１４】
脚部ブロックについては、支柱を収容するために形成された少なくとも１つの穴を含んでいても良い。有利には、前記脚部ブロックは、前記少なくとも１つの穴に、前記穴の内面を強化および保護するための管状挿入物を含んでいてもよい。一の形態において、前記管状挿入物は、中空鋼鉄管を含んでいてもよい。
【００１５】
前記防護柵モジュールは、前記防護柵モジュールに対して強度を追加するために、前記脚部ブロックと前記柵パネルとの間に延びる少なくとも１つの強化柱を更に含むことが好ましい。一の形態において、前記強化柱は、下端に設けられた実質的な垂直部と、前記柵パネルに連結するために上端に設けられた曲げ部とを含んでいても良い。
【００１６】
有利な形態において、前記防護柵モジュールは、第１柵パネルである柵パネルを含み、前記防護柵モジュールの高さを増加するために、前記第１柵パネル上に第２柵パネルを収容するように構成されている。より有利には、前記第１柵パネルおよび前記第２柵パネルは、複数の方向を向いて配置されている。ここで２つのパネル部が用いられ、第１の強化柱が支持要素と前記第１パネル部との間に延び、かつ第２の強化柱が支持要素と前記第２パネル部との間に延びていても良い。
【００１７】
第２の側面において、本発明は、建造物の建設中に、建造物床の周縁の柵で囲む領域に立設して用いられる防護柵において、前記防護柵は、上に規定した防護柵モジュールを複数含み、各前記モジュールは、各前記モジュール間の空間を最小化するために互いに隣接して配置され、これにより実質的に連続した柵を形成する、防護柵を提供する。好ましくは、各モジュールは、必要とされる脚部ブロックの数を最小化するとともに各モジュール間の空間を更に最小化するために、隣接するモジュールとの間で少なくとも１つの脚部ブロックを共有する。
【００１８】
好ましくは、各モジュールは、クランプ部材によって、隣接するモジュールに連結され、これにより柵に対して更に強度および安定性を付加する。
【００１９】
第３の側面において、本発明は、建造物の建設中に、建造物床の周縁で用いられる、防護柵モジュールに取り付けるためのキックボードであって、前記防護柵モジュールは、作業者または物体が前記建造物床から下方の地面へ通過することを防止する柵パネルと、前記柵パネルに連結された支柱を収容するための少なくとも１つのおもり脚部ブロックであって、前記建造物床上に載置されるとともに、前記柵パネルを前記建造物床に対して実質的に直立する位置に保持するよう、前記柵パネルに対する荷重および力に対抗するように構成された、脚部ブロックとを含み、前記柵パネルは、所定の高さから前記建造物床レベルの上方のある高さまで下方に延び、前記キックボードは、前記柵パネルから実質的な前記建造物床レベルまで下方に延びて配置された幾何学的形状のパネル部材と、前記パネル部材を前記柵パネルに取り外し可能に取り付けるための取付手段とを含む、キックボードを提供する。
【００２０】
第４の側面において、本発明は、建造物の建設中に、建造物床を保護する方法において、上に規定した防護柵モジュールを複数準備する工程と、前記防護柵モジュールの隣接する前記柵パネルが、前記柵パネル同士の間の空間を最小化しながら実質的に連続的な柵を形成するように、前記建造物床の周縁の少なくとも一部分を辿って前記複数の防護柵モジュールを立設する工程とを含む、方法を提供する。
【００２１】
一の形態において、前記建造物床の周縁に前記複数の防護柵モジュールを立設する工程は、複数の前記脚部ブロックを前記建造物床の表面上に位置決めする工程と、前記柵パネルを前記位置決めされた脚部ブロックに連結する工程とを含む。脚部ブロックは、建造物床の表面上に位置するだけなので、柵を固定するためのボルト留めまたはクランプ留めの必要性を回避することができる。
【００２２】
第５の側面において、本発明は、好ましくは建造物の建設中に、建造物床の周縁の柵で囲う領域に立設して用いられる柵パネルにおいて、第１ワイヤ状メッシュ材料から形成された第１パネル部であって、前記第１ワイヤ状メッシュ材料は、隣接するワイヤ同士の間で第１空間距離を有する、第１パネル部と、第２ワイヤ状メッシュ材料から形成された第２パネル部であって、前記第２ワイヤ状メッシュ材料は、隣接するワイヤ同士の間で第２空間距離を有する、第２パネル部とを含み、前記第２空間距離は、前記隣接するワイヤのうちの少なくとも一部において、前記第１空間距離より短い、柵パネルを提供する。
【００２３】
柵パネル用のキックボード部を形成するために、前記第２パネル部は、前記建造物床に隣接して配置され、前記第１パネル部は、前記建造物床に対して前記第２パネル部より上方に配置されることが好ましい。
【００２４】
好ましい形態において、前記第１ワイヤ状メッシュ材料および前記第２ワイヤ状メッシュ材料は、複数の実質的に垂直なワイヤおよび実質的に水平なワイヤを含む。垂直および水平なワイヤを有するワイヤ状メッシュ材料は、製造することが簡単でかつコスト効率がよい。
【００２５】
一の形態において、それぞれの前記実質的に水平なワイヤについて、前記第２空間距離は、前記第１空間距離より短い。前記実質的に垂直なワイヤにおける、前記第１空間距離および前記第２空間距離は、前記柵パネルの幅全体にわたって実質的に等しくても良く、かつ前記第２ワイヤ状メッシュ材料の前記実質的に垂直なワイヤは、その延長上で、前記第１ワイヤ状メッシュ材料の前記実質的に垂直なワイヤと一体化されていても良い。
【００２６】
好ましくは、隣接する前記実質的に水平なワイヤ間における前記第１空間距離は、３０ｍｍ乃至８０ｍｍ、より好ましくは５０ｍｍであり、隣接する前記実質的に水平なワイヤ間における前記第２空間距離は、３ｍｍ乃至２９ｍｍ、より好ましくは１０ｍｍである。
【００２７】
一実施の形態において、脚部ブロックを収容するため、前記第２パネル部の幅は前記第１パネル部の幅より小さい。これは、前記第２パネル部の各端部を切り欠いて形成した凹部を含んでも良い。
【００２８】
第６の形態において、本発明は、建造物の建設中に、建造物床の周縁の柵で囲う領域に立設して用いられる柵パネルを形成する方法において、ワイヤ状メッシュパネルシートを形成する工程を少なくとも含み、前記メッシュパネルシートは、隣接するワイヤ同士の間で第１空間距離を有する第１パネル部と、隣接するワイヤ同士の間で第２空間距離を有する第２パネル部とを含み、前記第２空間距離は、前記隣接するワイヤのうちの少なくとも一部において、前記第１空間距離より短い、方法を提供する。
【００２９】
一の形態において、前記方法は、前記メッシュパネルシートを所望の長さに切断する工程と、前記第２パネル部の各端部に、内方段付き凹部を形成し、これにより、前記第２パネル部の長さを前記第１パネル部の幅より短くする工程とを更に含む。
【００３０】
好ましくは、前記メッシュパネルシートは、複数の実質的に垂直なワイヤおよび実質的に水平なワイヤを含む。一実施の形態において、前記メッシュパネルシートは、前記水平なワイヤを前記垂直なワイヤに載置し、前記水平なワイヤと前記垂直なワイヤとを、複数の交点で互いに溶着することによって形成される。他の実施の形態において、前記メッシュパネルシートは、前記水平なワイヤを前記垂直なワイヤ間に編み込むことによって形成される。
【００３１】
本発明の形態においては、支持要素として、建造物床の表面に容易に配置可能なおもり脚部ブロックを用い、これにより、実質的に建造物床の表面に沿って延びる柵パネルを収容し、作業者または物体が建造物床から下方の地面へ落下することをできる限り防止する。脚部ブロック自体がおもりとして作用するので、防護柵モジュールを設置するために床に対してボルト留めまたはクランプ留めすることは必要ない。
【００３２】
本発明の更なる形態によれば、柵パネルの基部において、隣接するワイヤ間に比較的小さい幅を有するので、基部がキックボード部としての役割を果たすことができ、柵を通過した物体が下方の地面へ移動することを防止することができる。ワイヤメッシュとして形成されることにより、パネルを簡単かつコスト効率良く製造することができる。パネルが、一体化された「オールインワン」の特性をもつことにより、簡単かつ比較的迅速な設置が可能となり、パネルの重量が比較的軽く、キックボードを組み込むための追加の取付手段を必要としない。
【００３３】
したがって、本発明は、より短い時間で組み立ておよび／または設置をすることができ、それでも地面より高い建設現場で働く人々の安全を確保することができる、防護柵を提供することにより、その目的を達成する。
【００３４】
添付図面を参照して、本発明の実施形態を以下に説明する。本発明の更なる特徴および利点についても、添付した説明から更に明確になるであろう。
【図面の簡単な説明】
【００３５】
【図１】図１は、建造物床の周縁に配置された、本発明の一実施の形態による複数の防護柵モジュールを示す図である。
【図２】図２ａは、本発明の一実施の形態による１つの防護柵モジュールを示す正面図であり、図２ｂは、図２ａに示す防護柵モジュールの側面図である。
【図３】図３は、図２ａに示す防護柵モジュールの斜視図である。
【図４】図４は、防護柵モジュールに取り付けるキックボード部の一実施の形態を示す斜視図である。
【図５】図５は、本発明の第２の実施の形態による防護柵モジュールを示す斜視図である。
【図６】図６は、本発明の第３の実施の形態による防護柵モジュールを示す斜視図である。
【図７】図７は、図６に示す防護柵モジュールの他の斜視図である。
【図８】図８は、互いに隣接して配置された、２つの図６に示す防護柵モジュールを示す斜視図である。
【図９】図９は、追加の強化柱を有する、図６に示す防護柵モジュールを示す斜視図である。
【図１０】図１０は、互いに隣接して配置された、２つの図９に示す防護柵モジュールを示す斜視図である。
【図１１】図１１は、追加の柵パネルを有する、図９に示す防護柵モジュールを示す斜視図である。
【図１２】図１２は、互いに隣接して配置された、２つの図１１に示す防護柵モジュールを示す斜視図である。
【図１３】図１３は、２つの柵パネルが異なる向きに配置された、図１１に示す防護柵モジュールを示す斜視図である。
【図１４】図１４は、互いに隣接して配置された、２つの図１３に示す防護柵モジュールを示す斜視図である。
【図１５】図１５は、本発明の第４の実施の形態によるワイヤメッシュ柵パネルを示す正面図である。
【図１６】図１６は、図１５に示す柵パネルの斜視図である。
【図１７】図１７は、図１５に示す柵パネルの端面図である。
【図１８】図１８は、図１５に示す柵パネルの平面図である。
【図１９】図１９は、支柱に連結されたときの、図１５に示す柵パネルの正面図である。
【図２０】図２０は、本発明の第５の実施の形態による柵パネルを示す正面図である。
【図２１】図２１は、図２０に示す柵パネルの斜視図である。
【図２２】図２２は、図１乃至図２１のいずれかに示す柵パネルに用いられても良い脚部ブロックを示す斜視図である。
【図２３】図２３は、図２２に示す脚部ブロックの断面図である。
【図２４】図２４は、図２２に示す脚部ブロックの平面図である。
【図２５】図２５は、図２２に示す脚部ブロックの側面図である。
【図２６】図２６は、図２２に示す脚部ブロックの端面図である。
【図２７】図２７は、図２２に示す脚部ブロックの分解図である。
【発明を実施するための形態】
【００３６】
図１は、建造物床１２の周縁に位置するとともに、複数の防護柵モジュール１０を含む防護柵を示している。
【００３７】
図２ａ、図２ｂ、図３は、防護柵モジュール１０の一実施の形態を示し、この防護柵モジュール１０は、柵パネル１４と、建造物床１２上に載置され、比較的大型かつ重い箱形の脚部ブロックからなる支持要素１６、１８とを含んでいる。柵パネル１４は、２つの支柱２２、２４に連結された、第１パネル部１４ａおよび第２パネル部１４ｂを含んでいる。
【００３８】
柵パネル１４は、床１２上方の所定の高さｈから実質的な床１２レベルまで下方に延び、これにより、作業者または物体が床１２から床下方の地面（図示せず）へ通過することを防止する。所定の高さｈは、個々の管轄区域の特定の安全および建設の規則に依存するであろう。しかしながら、高さｈは０．９ｍ乃至２．５ｍの範囲内であると予想される。
【００３９】
柵パネル１４の第１パネル部１４ａは、所定の高さｈから脚部ブロック１６、１８のすぐ上方まで下方に延びている。第２パネル部１４ｂは、脚部ブロック１６、１８のすぐ上方から実質的に建造物床１２まで下方に延びている。第２パネル部１４ｂは、床１２に接触するように延びていても良く、あるいは、床１２の少し上方の高さまで延びていても良いが、思いがけず物体が床１２の端部から下方の地面に落下することがないように、床１２に十分接近している。柵パネル１４は、支持要素１６、１８を収容可能な幾何学形状を有し、とりわけ、第２パネル部１４ｂの幅は、第１パネル部１４ａの幅より狭い。
【００４０】
第２パネル部１４ｂは、取付手段２０により第１パネル部１４ａに取り外し可能に取り付けることができ、取付手段２０は、第１パネル部１４ａの下縁に装着できるように構成されるとともに、その上端および下端近傍で互いにボルト留めされた、２つの金属板の形態をとる。しかしながら、取付手段２０は、例えば第１パネル部１４ａおよび第２パネル部１４ｂを直接貫通するボルトのように、適当な形態からなっていてもよい。
【００４１】
第１パネル部１４ａは、ワイヤメッシュから形成されており、これにより、必要に応じて作業者が第１パネル部１４ａを透かして見ることができる。第２パネル部１４ｂは、鋼鉄製の金属シートから形成される。しかしながら、第１パネル部および第２パネル部として、穴の開いたまたは穴の開いていない金属シートまたは木製パネルのように、いかなる適当な材料を使用することも可能である。さらに、第１パネル部１４ａおよび第２パネル部１４ｂは、更に図示する実施の形態のように、同一の材料から形成されていても良い。
【００４２】
支柱２２、２４は、直径４０ｍｍの細長い金属管からなり、その間に位置するワイヤメッシュを支持するのに用いられ、かつ柵パネル１４を脚部ブロック１６、１８にさらに連結する。これにより、支柱２２、２４は、柵パネル１４を実質的に垂直に支持することを補助し、柵パネル１４が適当な柵構造体としての役割を果たせるようにする。必要に応じて、支柱として、他の大きさのものおよび材料のものを用いても良い。
【００４３】
図３に示すように、脚部ブロック１６、１８は、そこに予め形成された穴２６、２８において支柱２２、２４を収容する。穴２６、２８の深さおよび脚部ブロック１６、１８の高さは、材料および柵パネル１４の重量に依存するであろう。脚部ブロック１６、１８の寸法および重量は、通常の使用時に、柵パネル１４の荷重に対抗する、すなわちおもりとして作用し、かつ柵パネル１４を床１２に対して実質的に垂直位置に支持するのに十分である必要がある。したがって、脚部ブロック１６、１８の高さ、長さおよび幅、ならびに穴２６、２８の深さは、特定の寸法に限定されるのではなく、むしろ柵パネル１４を上述したように支持するために十分なものでなければならない。柵パネル１４は、支柱２２、２４を穴２６、２８内に配置することだけによって十分に支持され、柵パネル１４を脚部ブロック１６、１８に更にボルト留めまたはクランプ留めする必要がないようにすることが好ましい。これにより、防護柵を建造物床に立設する時間を更に減少することができる。
【００４４】
好ましくは、脚部ブロック１６、１８は、箱状の脚部ブロックを含み、これは、滑り止め再生ＰＶＣプラスチックからなり、および／または、コンクリートのような重み付けされた材料を内部に含み、これにより各脚部ブロックの重量は、約１８ｋｇとなっている。脚部ブロックは、コンクリートを入れるための隙間を残すように、押出成形されていても良く、あるいは、ブロックの建造の際にインサートされたコンクリート（または他の適当な重み付けされた材料）とともに一体に形成されていても良い。あるいは、コンクリート、ゴムもしくはプラスチック、または再生材料を全体に含む、他の適当な重み付けされた材料が用いられても良い。各柵パネルは、全体として、約１８〜２４ｋｇの間であって良く、労働安全衛生の要件に適合するように、好ましくは２０ｋｇ未満である。各脚部ブロック１６、１８にいくつかの支柱を挿入することができるよう、脚部ブロック１６、１８は６個の穴を有している。これにより、各隣接する柵が少なくとも１つの支持要素１６、１８を共有することにより、建造物床の周縁全体を取り囲む防護柵モジュールが、実質的に連続したラインとして立設されることを可能とする。脚部ブロック１６、１８が柵パネル１４の荷重に対抗することができるように、柵パネルの平面を横切って延びる長さである脚部ブロック１６、１８の長さは、典型的には、その幅より大きいであろう。
【００４５】
図４は、柵パネルに取り付けるためのキックボード３０を示す。キックボード３０は、防護柵モジュールの柵パネルに取り外し可能に取り付けられるとともに、柵パネルから実質的な建造物床レベルまで下方に延びるようになっており、これにより、防護柵モジュールの柵パネルと建造物床との間の空間を減らす。キックボード３０はまた、キックボード３０を柵パネルに取り外し可能に取り付けるための取付手段３４を含む。一の形態において、キックボード３０は、使用のとき、図１、図２ａ、図２ｂおよび図３に第２パネル部１４ｂとして示すものと同様であるが、所望により、キックボード３０が他の形態をとってもよい。キックボードは、例えばワイヤメッシュ、金属板、または木のような適当な材料から形成されていても良い。図示した実施の形態による取付手段３４は、パネル部の下縁の周りに装着するとともにキックボード３０に連結されるように構成された２つの金属板を含み、この２つの金属板は、その上端および下端近傍で互いに螺着されている。所望により、他の適当な取付手段３４が用いられても良い。
【００４６】
図５は、防護柵モジュール４０の第２の実施の形態を示しており、防護柵モジュール４０は、他の形態による柵パネル４４を有している。柵パネル４４の第２パネル部４４ｂは、矩形の中実な金属板を含み、この金属板は細長い管状部４６によってその３つの側部が取り囲まれている。第２パネル部４４ｂは、外側の細長い管状部４６ａを第１パネル部４４ａの管状部４２に螺着することにより、第１パネル部４４ａに取り付けられている。あるいは、第２パネル部４４ｂは、より恒久的な取付手段を提供するべく、第１パネル部４４ａに対して溶着されていても良い。
【００４７】
図６および図７は、防護柵モジュール５０の第２の実施の形態を示しており、それぞれ防護柵モジュール５０の前方および後方を示している。この防護柵モジュール５０は、更なる他の形態からなる柵パネル５２を有している。本実施の形態において、柵パネル５２は、所定の高さから実質的に床（図示せず）まで下方に延びており、幾何学的に形成された一体となったワイヤメッシュウェブまたはシートからなっている。このことにより、２つの分離した第１および第２のパネル部とする必要がない。むしろ柵パネル５２は、その下端に角部の「切り欠き」（符号５４で示す）を有しており、これにより脚部ブロック５６、５８を収容する内方段付き凹部を提供する。
【００４８】
ワイヤメッシュ柵パネル５２の上端および下端は、主として安全のため、さらに追加的な強度のために、折り曲げられている。下端において、折り込まれた柵パネル５２の内部に、中実の矩形の金属板５３が固定され、これにより小さい物体が柵パネル５２に設けられた穴を通過することを最小化する。
【００４９】
建造物床の周縁全体に実質的に連続した柵を形成するために、複数の防護柵モジュール５０が用いられても良い。必要に応じて、２つの防護柵モジュール５０の間に戸（図示せず）が配置されても良い。図８に示すように、必要な脚部ブロックの数を最少化するため、各隣接する柵パネル５２は、その隣接する柵パネル５２と脚部ブロック１８を共有するであろう。強度および剛性を追加するため、隣接する柵パネル５２の支柱２２、２４は、隣接する支柱２２、２４の上端に配置されたクランプ部材５６によって連結されている。クランプ部材５６は、支柱２２、２４の周囲に適合するよう「８」字状の金属クランプを有し、しっかり固定するため支柱２２、２４の間でボルト連結されている。
【００５０】
図９は、柵パネル５２の各端部において追加の強化柱７２、７４を有する防護柵モジュール５０を示しており、強化柱７２、７４は、支柱２２、２４と脚部ブロック１６、１８との間に延びている。強化柱７２、７４は、支柱２２、２４の材料と同様、細長い金属管を有し、脚部ブロック１６、１８に形成された外側孔５７内に嵌め込まれている。曲げ部７２ａ、７４ａは、実質的に直立した管７２ｂ、７４ｂの上端と、支柱２２、２４との間に連結されている。管７２ｂ、７４ｂの上端は、柱の他の部分に対して縮径されており、これにより曲げ部７２ａ、７４ａの下端がその端部の周囲に嵌合されるようになっている。曲げ部７２ａ、７４ａの上端は、開放した円筒部７２ｃ、７４ｃを有し、この円筒部７２ｃ、７４ｃは、各支柱２２、２４の上端周囲に嵌合するようになっている。
【００５１】
図１０は、実質的に連続する柵を形成するために互いに隣接して配置された２つの防護柵モジュール５０を示しており、これは更に建物床の周縁を囲んで延在していても良い。１つの強化柱７４のみが、隣接する各防護柵モジュール間の各脚部ブロック１６、１８において用いられても良いが、所望により、強度を追加するために第２の柱が用いられても良い。各防護柵モジュールの隣接する支柱２２、２４は、上述したクランプ部材５６を介して連結されている。
【００５２】
仮に、防護柵モジュールに追加的な高さが必要となる場合、図１１および図１２に示すように、第２の柵パネル５５が上方、すなわち柵パネル５２上に位置しても良い。第１の支柱２２、２４の上端は、支柱２２、２４を支柱８２、８４に接合するための縮径された接合ピンを有していても良く、あるいは、第１の支柱２２、２４の上端は、第２の支柱８２、８４を第１の支柱２２、２４の端部周囲に装着することができるように、第２の支柱８２、８４に対して縮径されていても良い。そして、この構造を安定化させるため、脚部ブロック１６と第２の支柱８２の上端との間に追加の強化柱９２が用いられても良い。
【００５３】
必要に応じて、様々な方向を向いた柵パネルが用いられても良い。例えば図１１および図１２は、柵パネル５２の上縁に中実の金属板５３がくるように下側の柵パネル５２が配置されたものを示しており、この結果、防護柵モジュール８０の床に近い底部に大きな隙間が生じる。上側の柵パネル５５は、反対の方向を向いて用いられ、これにより２つの柵パネル５２、５５の間に隙間が生じないようになっている。
【００５４】
あるいは、図１３および図１４は、柵パネル５２の下縁に中実の金属板５３がくるように構成され、したがってちょうど床まで延びた柵パネル５２を示している。上側の柵パネル５５は、反対の方向を向いて構成され、２つの柵パネル５２、５５の間に隙間８３を提供する。所望により、他の方向が用いられても良い。
【００５５】
図１４に示すように、追加の柵パネルが用いられる場合、追加的な強度および剛性のため、共有する脚部ブロック１８上で、２つの支柱２２、２４および２つの強化柱９２が用いられることが好ましいであろう。
【００５６】
建造物の建設中に、防護柵を建造物床に立設して固定するために、上述した実施の形態の１つによる、複数の防護柵モジュールを準備する。次に、モジュールは、モジュールの隣接する柵パネルが、柵パネル同士の間の空間を最小化しながら実質的に連続的な柵を形成するように、建造物床の周縁の少なくとも一部分を辿って立設される。モジュールを床にボルト留めまたはクランプ留めする必要がないので、モジュールを立設するにあたり、脚部ブロックを建造物床の表面に位置決めし、かつその後、支柱を脚部ブロックの穴に収容するか、または支柱を脚部ブロックの杭の上に受け入れることにより、位置決めされた脚部ブロックに柵パネルを連結することだけが必要となる。
【００５７】
図１５乃至図１８は、柵パネル１００の他の実施の形態を示している。この場合、これは、第１ワイヤ状メッシュ材料から形成された第１パネル部１０２と、第２ワイヤ状メッシュ材料から形成された第２パネル部１０４とを含んでいる。
【００５８】
第１パネル部１０２および第２パネル部１０４は、それぞれ複数の実質的に垂直なワイヤ１０６および実質的に水平なワイヤ１０８を含む。各隣接する垂直および水平なワイヤは、図１５において空間距離Ｄ１、Ｄ２、およびＤ３によって分離されている。第１パネル部１０２の垂直なワイヤ１０６は、空間距離Ｄ１を含み、水平なワイヤ１０８は、空間距離Ｄ２を含む。第２パネル部１０４の垂直なワイヤ１０６はまた、空間距離Ｄ１を含み、一方、水平なワイヤ１１０は、空間距離Ｄ３を含む。
【００５９】
第１パネル部１０２において、垂直なワイヤ１０６および水平なワイヤ１０８は、約３０ｍｍ乃至８０ｍｍ、隣接するワイヤから離間することが好ましく、理想的には５０ｍｍ、隣接するワイヤから離間する。図示するように、隣接する垂直および水平なワイヤにより境界付けられた、複数の開放された正方形１１２が形成されている。
【００６０】
第２パネル部１０４において、垂直なワイヤ１０６は、第１パネル部１０２のそれと同様の間隔を有しており、第１パネル部１０２内のワイヤの延長からなり、これもまた３０ｍｍ乃至８０ｍｍ、理想的には５０ｍｍ、隣接するワイヤから離間している。しかしながら、第２パネル部１０４の水平なワイヤ１１０は、第１パネル部１０２におけるそれよりも近接しており、好ましくは３ｍｍ乃至２９ｍｍ、理想的には１０ｍｍ、隣接するワイヤから離間している。図に示すように、そこには複数の開放された四角形１１４が形成され、それぞれ開放された正方形１１２に比べて相対的に狭い領域を有している。このような構成により、物体が柵パネルを通過したりまたは下部を通ったりする可能性を最小化するとともに、従来技術に見られるような分離されたキックボードの必要性をなくし、ここで、第２パネル部１０４は建造物床に隣接して配置されるとともに、第１パネル部１０２は建造物床に対して第２パネル部１０４上方に配置される。
【００６１】
第１パネル部１０２および第２パネル部１０４の垂直および水平なワイヤの相対的な空間距離は、図１７および図１８の側面および端面図に最も良く示されている。図１７において、第１パネル部１０２の水平なワイヤ１０８は、第２パネル部１０４の水平なワイヤ１１０（Ｄ３の距離だけ離れている）より広く離間している（Ｄ２）。図１８において、垂直なワイヤ１０６は、柵パネル１００の全長にわたって等しく離間していることが示されている。
【００６２】
ワイヤは、好ましくは３．１５ｍｍ径の断面円形状の鋼鉄からなるが、他の適当な材料、形状、およびサイズのものを用いても良い。例えば、プラスチック、ゴムまたは複合材料を用いることもでき、これらも「ワイヤ」および「ワイヤ状」の用語に該当する。
【００６３】
第２パネル部１０４は、好ましくは高さが１００ｍｍ乃至２００ｍｍの間であり、これにより、各垂直な列ごとに９つの隣接する矩形１１２を形成する、約１０本の水平なワイヤ１１０を含む。柵パネル１００（第１パネル部１０２および第２パネル部１０４の両方）の高さおよび幅は、個々の管轄区域の特定の安全および建設の規則に依存するであろう。しかしながら、高さは０．９ｍ乃至２．５ｍの範囲内であると予想され、第１パネル部１０２は、１０７個の隣接する正方形を形成する、約１０８本の水平なワイヤを含む。第１パネル部１０２における各柵パネル１００の幅は、建造物床の周りで通常の使用がなされる場合、約２ｍ乃至３ｍであると予想される。しかしながら、他の使用において、幅および高さは変化しても良い。例えば柵パネル１００が、門において使用することができ、この場合、より小さいパネルが必要とされうる。この場合、幅は１ｍ未満としても良く、高さは約１ｍとしても良い。いくつかの実施の形態において、幅は高さよりも小さくしても良い。
【００６４】
第２パネル部１０４の幅は、第１パネル部１０２の幅より小さく、各端部に角部の「切欠き」を有し、これにより内方段付き凹部１１８を提供する。角部の「切欠き」の目的は、これもまた、おもり脚部ブロックを収容するためである。内方段付き凹部は、柵パネル１００の端部から約５０ｍｍ内方へ向かい、隣接する垂直なワイヤ１０６間の１つの空間距離に等しいことが好ましい。
【００６５】
図１９に示すように、柵パネル１００は、２つの支柱１３０、１３２に連結されており、支柱１３０、１３２は、４０ｍｍ径の細長い金属管からなるとともに、その間に配置された柵パネル１００のワイヤメッシュ材料を支持するために用いられ、かつ柵パネル１００を脚部ブロック（図１９には示していない）に連結するためにも用いられる。所望により、支柱１３０、１３２のための他のサイズ、形状および材料が用いられても良い。
【００６６】
追加の強度および支持を与えるため、柵パネル１００の上縁および下縁に沿って、更なる２つの水平な支持棒１３４、１３６が設けられていても良い。これらの支持棒は、２７ｍｍ径の細長い金属管からなっている。Ｌ形状の鋼鉄部材１３８、１４０が、追加の強度および支持のために、更に各凹部１２８内に設けられている。
【００６７】
有利には、メッシュパネル部は、１つの連続的なシートまたはウェブからなり、材料の重量によっては、使用の準備がされるまで、保管用にロールとして形成されていても良い。第１パネル部１０２および第２パネル部１０４のメッシュ材料を形成する水平なワイヤ１０８および垂直なワイヤ１０６は、各交点１１６において、好ましくは溶接により互いに結合されるが、高分子接着剤のような他の適当な結合方法が用いられても良い。各垂直なワイヤ１０６は、作業可能な距離に並べられ、次いで水平なワイヤ１０８、１１０が適当な場所に位置決めされて溶接され（または他の方法で連結され）ても良い。他の実施の形態において、メッシュ材料は他の適当な方法で形成されても良く、例えば、各水平なワイヤ１０８、１１０が垂直なワイヤ１０６にジグザグに編み込まれていっても良い。その後、シートは、図２０および図２１に示す実施の形態を形成するように、所望の長さに切断される。
【００６８】
図２０の柵パネル１００は、例えば、柵パネル１００に連結された細長い管状支柱内に嵌め込むための直立した連結杭を有する平板状の支持脚部からなる支持要素を用いることにより、建造物の建設中に、建造物床の周縁の柵で囲む領域に立設して用いることができ、この場合、脚部ブロックを収容するための切欠かれた凹部を設ける必要がない。あるいは、図１５または図２０の柵パネル１００は、他の様々な用途を有していても良く、これらも本発明の射程内に含まれる。例えば、パネルが足場上の安全装置として用いられても良く、ここで、伝統的に中実なキックボードがワイヤメッシュパネルの下端に立て掛けられる。ワイヤメッシュキックボードがワイヤメッシュパネルに一体に形成されることにより、製造コスト、安全および設置コストを削減することができる。あるいは、パネルは、例えばビルディング用等の建築用の装飾パネルとして用いられても良い。
【００６９】
脚部ブロックを使用する図１５の実施の形態を形成するために、図２０に示す同一の矩形柵パネルが、まずシートから第１パネル部１０２の幅に切り出され、次いで、対応する水平および垂直なワイヤを従来の方法を用いて切断することにより、下方の角部が矩形パネルから取り除かれるであろう。
【００７０】
続いて、支柱１３０、１３２が、脚部ブロック（例えば図２２乃至図２７に示す脚部ブロック）のそれぞれの穴に挿入されても良い。脚部ブロック１４２は、四角柱形の構造を有し、柵パネル１００および支柱１３０、１３２を直立位置に支持するのに十分な重量を有する。脚部ブロック１４２は、コンクリートとゴムとの複合物からなるが、例えばコンクリート、プラスチックまたはゴムのような他の適当な材料を用いても良い。脚部ブロック１４２は、要求される重量を生成するための砂、水等が充填される中空角柱を有していても良い。
【００７１】
脚部ブロック１４２は、支柱１３０、１３２を収容するために、ブロック１４２を高さ方向に貫いて延びる２つの穴１４４、１４６を有する。他の実施の形態において、ブロック１４２の用途および目的に応じて、２つ以外の穴、例えば１つ、４つまたは６つの穴が用いられても良い。
【００７２】
各穴１４４、１４６に挿入されるのは管状挿入物であり、これは、穴１４４、１４６の内面を強化および保護するとともに、支柱１３０、１３２の継続的な挿入、移動および除去により穴１４４、１４６が摩耗することを防止するための中空管１４８を含む。図２５に示すように、管１４８は、穴１４４の略全高にわたって延びている。管１４８の直径は、穴１４４、１４６に挿入された支柱１３０、１３２がほとんど動かないようになる程度であり、それでも支柱１３０、１３２を容易に挿入できる程度の十分な隙間を有している。管１４８は、穴１４４、１４６内に留まったままとするのに十分な程度の外径を有するであろう。正確なサイズは、管轄区域および地域の規則によって変わるであろう。
【００７３】
管１４８は、鋼鉄または他の望ましい材料からなり、その形状または強度が増大または喪失することなく、金属支柱１３０、１３２の挿入および除去に対して耐えうる。管１４８は、脚部ブロック１４２の製造中に脚部ブロック１４２内に入れられても良く、あるいは、脚部ブロック１４２を作製した後に挿入されても良い。追加の強度および安定性を得るため、穴１４４、１４６の内面と管１４８の外面との間に、接着剤を用いることが好ましい。
【００７４】
円形の断面を有する管挿入物を参照することにより、脚部ブロックを図示してきたが、必要とされかつ適当な場合には、例えば正方形または矩形断面の管のように、他の形状が用いられても良い。あるいは、穴の内面が、適当な材料による表面のコーティングのような他の方法により強化されても良い。
【００７５】
本明細書を通じて言及する「一実施の形態」または「実施の形態」は、その実施の形態に関連して記載された特定の特性、構造、または特徴が、本発明の少なくとも１つの実施の形態に含まれることを意味する。したがって、本明細書を通じて様々な場所に存在する「一実施の形態において」または「実施の形態において」という用語は、必ずしも全てが同一の実施の形態を参照しているのではない。さらに、特定の特性、構造、または特徴が、１以上の組合せにおいて、適当な方法で組合されても良い。
【００７６】
当業者が、上述したものとは異なる方法で本発明を実行でき、その精神および射程の範囲から離脱することなく様々な変形を行うことができることが分かるであろう。
【００７７】
本明細書の文書、装置、作用および知識に関する議論は、本発明の内容を説明するために包含されている。あらゆる材料形態は、いずれも本明細書に関連する出願の出願日前、あらゆる国において、背景技術または関連技術の一般常識の一部を形成することを自認するととられるべきではない。
【図１】
2011501005.tif 000003
【図２ａ】
2011501005.tif 000004
【図２ｂ】
2011501005.tif 000005
【図３】
2011501005.tif 000006
【図４】
2011501005.tif 000007
【図５】
2011501005.tif 000008
【図６】
2011501005.tif 000009
【図７】
2011501005.tif 000010
【図８】
2011501005.tif 000011
【図９】
2011501005.tif 000012
【図１０】
2011501005.tif 000013
【図１１】
2011501005.tif 000014
【図１２】
2011501005.tif 000015
【図１３】
2011501005.tif 000016
【図１４】
2011501005.tif 000017
【図１５】
2011501005.tif 000018
【図１６】
2011501005.tif 000019
【図１７】
2011501005.tif 000020
【図１８】
2011501005.tif 000021
【図１９】
2011501005.tif 000022
【図２０】
2011501005.tif 000023
【図２１】
2011501005.tif 000024
【図２２】
2011501005.tif 000025
【図２３】
2011501005.tif 000026
【図２４】
2011501005.tif 000027
【図２５】
2011501005.tif 000028
【図２６】
2011501005.tif 000029
【図２７】
2011501005.tif 000030
【手続補正書】
【提出日】平成21年6月29日(2009.6.29)
【手続補正１】
【補正対象書類名】明細書
【補正対象項目名】０００８
【補正方法】変更
【補正の内容】
【０００８】
一つの側面において、本発明は、建造物床の周縁の柵で囲む領域に立設して用いられる防護柵モジュールにおいて、作業者または物体が前記建造物床から下方の地面へ通過することを防止する柵パネルと、前記柵パネルに連結された支柱を収容するための少なくとも１つのおもり脚部ブロックであって、前記建造物床上に載置されるとともに、前記柵パネルを前記建造物床に対して実質的に直立する位置に保持するよう、前記柵パネルに対する荷重および力に対抗するように構成された、脚部ブロックとを含み、前記柵パネルは、前記柵パネルが所定の高さから実質的な建造物床レベルまで下方に延びることができるように、前記脚部ブロックを収容するための少なくとも１つの凹部を含む幾何学形状を有する、防護柵モジュールを提供する。
【手続補正２】
【補正対象書類名】明細書
【補正対象項目名】００１９
【補正方法】変更
【補正の内容】
【００１９】
第３の側面において、本発明は、作業者または物体が建造物床から下方の地面へ通過することを防止するとともに所定の高さから実質的な建造物床レベルまで下方に延びる柵パネルと、前記柵パネルに連結された支柱を収容するための少なくとも１つのおもり脚部ブロックであって、前記柵パネルを前記建造物床に対して実質的に直立する位置に保持するように構成された、脚部ブロックとを含む形式の防護柵モジュールに取り付けるためのキックボードであって、前記キックボードは、使用時に、パネル部材が前記柵パネルから実質的な前記建造物床レベルまで下方に延びることができるように、前記柵パネルの幅より狭い幅を有するパネル部材と、前記パネル部材を前記柵パネルに取り外し可能に取り付けるための取付手段とを含み、使用時に、キックボードと前記防護柵モジュールとの組合体は、建造物の建設中に前記建造物床の周縁の柵で囲む領域に立設して用いるのに適合する、キックボードを提供する。
【手続補正３】
【補正対象書類名】特許請求の範囲
【補正対象項目名】全文
【補正方法】変更
【補正の内容】
【特許請求の範囲】
【請求項１】
好ましくは建造物の建設中に、建造物床の周縁の柵で囲む領域に立設して用いられる防護柵モジュールにおいて、
作業者または物体が前記建造物床から下方の地面へ通過することを防止する柵パネルと、
前記柵パネルに連結された支柱を収容するための少なくとも１つのおもり脚部ブロックであって、前記建造物床上に載置されるとともに、前記柵パネルを前記建造物床に対して実質的に直立する位置に保持するよう、前記柵パネルに対する荷重および力に対抗するように構成された、脚部ブロックとを含み、
前記柵パネルは、前記柵パネルが所定の高さから実質的な建造物床レベルまで下方に延びることができるように、前記脚部ブロックを収容するための少なくとも１つの凹部を含む幾何学形状を有する、防護柵モジュール。
【請求項２】
前記柵パネルは、
幅が決められた矩形の第１パネル部であって、所定の高さから前記脚部ブロック上方まで下方に延びるように位置づけられた、第１パネル部と、
前記第１パネル部より幅が狭く、前記第１パネル部から実質的な建造物床レベルまで下方に延びるように位置づけられたキックボード部とを有し、
これにより、前記柵パネルに、前記脚部ブロックを収容するための少なくとも１つの内方段付き凹部を提供する、請求項１記載の防護柵モジュール。
【請求項３】
前記キックボード部は、前記キックボード部を前記第１パネル部に取り外し可能に取り付けるための取付手段を含む、請求項２記載の防護柵モジュール。
【請求項４】
前記キックボード部は、前記第１パネル部と一体化されている、請求項２記載の防護柵モジュール。
【請求項５】
建造物床上に配置したとき、前記脚部ブロックは、長さ方向において、前記柵パネルの平面を横切って延び、かつ前記脚部ブロックは、幅方向において、少なくとも部分的に前記内方段付き凹部内に収容される、請求項２乃至４のいずれか一項記載の防護柵モジュール。
【請求項６】
前記第１パネル部は、第１ワイヤ状メッシュ材料から形成され、前記第１ワイヤ状メッシュ材料は、隣接するワイヤ同士の間で第１空間距離を有し、前記キックボード部は、第２ワイヤ状メッシュ材料から形成され、前記第２ワイヤ状メッシュ材料は、隣接するワイヤ同士の間で第２空間距離を有し、前記第２空間距離は、前記隣接するワイヤのうちの少なくとも一部において、前記第１空間距離より短い、請求項２記載の防護柵モジュール。
【請求項７】
前記第１ワイヤ状メッシュ材料および前記第２ワイヤ状メッシュ材料は、複数の実質的に垂直なワイヤおよび実質的に水平なワイヤを含む、請求項６記載の防護柵モジュール。
【請求項８】
それぞれの前記実質的に水平なワイヤについて、前記第２空間距離は、前記第１空間距離より短い、請求項７記載の防護柵モジュール。
【請求項９】
前記実質的に垂直なワイヤにおける、前記第１空間距離および前記第２空間距離は、前記柵パネルの幅全体にわたって実質的に等しく、かつ前記第２ワイヤ状メッシュ材料の前記実質的に垂直なワイヤは、その延長上で、前記第１ワイヤ状メッシュ材料の前記実質的に垂直なワイヤと一体化されている、請求項７または８記載の防護柵モジュール。
【請求項１０】
隣接する前記実質的に水平なワイヤ間における前記第１空間距離は、３０ｍｍ乃至８０ｍｍ、好ましくは５０ｍｍであり、隣接する前記実質的に水平なワイヤ間における前記第２空間距離は、３ｍｍ乃至２９ｍｍ、好ましくは１０ｍｍである、請求項８または９記載の防護柵モジュール。
【請求項１１】
前記脚部ブロックは、支柱を収容するために形成された少なくとも１つの穴を含み、前記穴は、前記穴の内面を強化および保護するための管状挿入物を含む、請求項１乃至１０のいずれか一項記載の防護柵モジュール。
【請求項１２】
前記管状挿入物は、中空鋼鉄管を含む、請求項１１記載の防護柵モジュール。
【請求項１３】
前記防護柵モジュールに対して強度を追加するために、前記脚部ブロックと前記柵パネルとの間に延びる少なくとも１つの強化柱を更に含む、請求項１乃至１２のいずれか一項記載の防護柵モジュール。
【請求項１４】
前記防護柵モジュールは、第１柵パネルである柵パネルを含み、前記防護柵モジュールの高さを増加するために、前記第１柵パネル上に第２柵パネルを収容するように構成されている、請求項１乃至１３のいずれか一項記載の防護柵モジュール。
【請求項１５】
前記第１柵パネルおよび前記第２柵パネルは、複数の方向を向いて配置されている、請求項１４記載の防護柵モジュール。
【請求項１６】
建造物の建設中に、建造物床の周縁の柵で囲む領域に立設して用いられる防護柵において、前記防護柵は、請求項１乃至１５のいずれか一項記載の防護柵モジュールを複数含み、各前記モジュールは、各前記モジュール間の空間を最小化するために互いに隣接して配置され、これにより実質的に連続した柵を形成する、防護柵。
【請求項１７】
各モジュールは、必要とされる脚部ブロックの数を最小化するとともに各モジュール間の空間を更に最小化するために、隣接するモジュールとの間で少なくとも１つの脚部ブロックを共有する、請求項１６記載の防護柵。
【請求項１８】
各モジュールは、クランプ部材によって、隣接するモジュールに連結されている、請求項１６または１７記載の防護柵。
【請求項１９】
作業者または物体が建造物床から下方の地面へ通過することを防止するとともに所定の高さから実質的な建造物床レベルまで下方に延びる柵パネルと、前記柵パネルに連結された支柱を収容するための少なくとも１つのおもり脚部ブロックであって、前記柵パネルを前記建造物床に対して実質的に直立する位置に保持するように構成された、脚部ブロックとを含む形式の防護柵モジュールに取り付けるためのキックボードであって、
前記キックボードは、
使用時に、パネル部材が前記柵パネルから実質的な前記建造物床レベルまで下方に延びることができるように、前記柵パネルの幅より狭い幅を有するパネル部材と、
前記パネル部材を前記柵パネルに取り外し可能に取り付けるための取付手段とを含み、
使用時に、キックボードと前記防護柵モジュールとの組合体は、建造物の建設中に前記建造物床の周縁の柵で囲む領域に立設して用いるのに適合する、キックボード。
【請求項２０】
建造物の建設中に、建造物床を保護する方法において、
請求項１乃至１５のいずれか一項記載の防護柵モジュールを複数準備する工程と、
前記防護柵モジュールの隣接する前記柵パネルが、前記柵パネル同士の間の空間を最小化しながら実質的に連続的な柵を形成するように、前記建造物床の周縁の少なくとも一部分を辿って前記複数の防護柵モジュールを立設する工程とを含む、方法。
【請求項２１】
前記建造物床の周縁に前記複数の防護柵モジュールを立設する工程は、
複数の前記脚部ブロックを前記建造物床の表面上に位置決めする工程と、
前記柵パネルを前記位置決めされた脚部ブロックに連結する工程とを含む、請求項２０記載の方法。
【請求項２２】
好ましくは建造物の建設中に、建造物床の周縁の柵で囲う領域に立設して用いられる柵パネルにおいて、
第１ワイヤ状メッシュ材料から形成された第１パネル部であって、前記第１ワイヤ状メッシュ材料は、隣接するワイヤ同士の間で第１空間距離を有する、第１パネル部と、
第２ワイヤ状メッシュ材料から形成された第２パネル部であって、前記第２ワイヤ状メッシュ材料は、隣接するワイヤ同士の間で第２空間距離を有する、第２パネル部とを含み、
前記第２空間距離は、前記隣接するワイヤのうちの少なくとも一部において、前記第１空間距離より短い、柵パネル。
【請求項２３】
前記第２パネル部は、前記建造物床に隣接して配置され、前記第１パネル部は、前記建造物床に対して前記第２パネル部より上方に配置される、請求項２２記載の柵パネル。
【請求項２４】
前記第１ワイヤ状メッシュ材料および前記第２ワイヤ状メッシュ材料は、複数の実質的に垂直なワイヤおよび実質的に水平なワイヤを含む、請求項２２または２３記載の柵パネル。
【請求項２５】
それぞれの前記実質的に水平なワイヤについて、前記第２空間距離は、前記第１空間距離より短い、請求項２４記載の柵パネル。
【請求項２６】
前記実質的に垂直なワイヤにおける、前記第１空間距離および前記第２空間距離は、前記柵パネルの幅全体にわたって実質的に等しく、かつ前記第２ワイヤ状メッシュ材料の前記実質的に垂直なワイヤは、その延長上で、前記第１ワイヤ状メッシュ材料の前記実質的に垂直なワイヤと一体化されている、請求項２４または２５記載の柵パネル。
【請求項２７】
隣接する前記実質的に水平なワイヤ間における前記第１空間距離は、３０ｍｍ乃至８０ｍｍ、好ましくは５０ｍｍであり、隣接する前記実質的に水平なワイヤ間における前記第２空間距離は、３ｍｍ乃至２９ｍｍ、好ましくは１０ｍｍである、請求項２５または２６記載の柵パネル。
【請求項２８】
前記第２パネル部の各端部を切り欠いて形成した凹部を更に含む、請求項２１乃至２７のいずれか一項記載の柵パネル。
【請求項２９】
好ましくは建造物の建設中に、建造物床の周縁の柵で囲う領域に立設して用いられる柵パネルを形成する方法において、
ワイヤ状メッシュパネルシートを形成する工程を少なくとも含み、
前記メッシュパネルシートは、隣接するワイヤ同士の間で第１空間距離を有する第１パネル部と、隣接するワイヤ同士の間で第２空間距離を有する第２パネル部とを含み、前記第２空間距離は、前記隣接するワイヤのうちの少なくとも一部において、前記第１空間距離より短い、方法。
【請求項３０】
前記メッシュパネルシートを所望の長さに切断する工程と、
前記第２パネル部の各端部に、内方段付き凹部を形成し、これにより、前記第２パネル部の長さを前記第１パネル部の幅より短くする工程とを更に含む、請求項２９記載の方法。
【請求項３１】
前記メッシュパネルシートは、複数の実質的に垂直なワイヤおよび実質的に水平なワイヤを含み、前記メッシュパネルシートは、前記水平なワイヤを前記垂直なワイヤに載置し、前記水平なワイヤと前記垂直なワイヤとを、複数の交点で互いに溶着することによって形成される、請求項２９または３０記載の方法。
【請求項３２】
前記メッシュパネルシートは、複数の実質的に垂直なワイヤおよび実質的に水平なワイヤを含み、前記メッシュパネルシートは、前記水平なワイヤを前記垂直なワイヤ間に編み込むことによって形成される、請求項２９または３０記載の方法。
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
好ましくは建造物の建設中に、建造物床の周縁の柵で囲む領域に立設して用いられる防護柵モジュールにおいて、
作業者または物体が前記建造物床から下方の地面へ通過することを防止する柵パネルと、
前記柵パネルに連結された支柱を収容するための少なくとも１つのおもり脚部ブロックであって、前記建造物床上に載置されるとともに、前記柵パネルを前記建造物床に対して実質的に直立する位置に保持するよう、前記柵パネルに対する荷重および力に対抗するように構成された、脚部ブロックとを含み、
前記柵パネルは、前記柵パネルが所定の高さから実質的な建造物床レベルまで下方に延びることができるように、前記脚部ブロックを収容するための少なくとも１つの凹部を含む幾何学形状を有する、防護柵モジュール。
【請求項２】
前記柵パネルは、
幅が決められた矩形の第１パネル部であって、所定の高さから前記脚部ブロック上方まで下方に延びるように位置づけられた、第１パネル部と、
前記第１パネル部より幅が狭く、前記第１パネル部から実質的な建造物床レベルまで下方に延びるように位置づけられたキックボード部とを有し、
これにより、前記柵パネルに、前記脚部ブロックを収容するための少なくとも１つの内方段付き凹部を提供する、請求項１記載の防護柵モジュール。
【請求項３】
建造物床上に配置したとき、前記脚部ブロックは、長さ方向において、前記柵パネルの平面を横切って延び、かつ前記脚部ブロックは、幅方向において、少なくとも部分的に前記内方段付き凹部内に収容される、請求項２記載の防護柵モジュール。
【請求項４】
前記第１パネル部は、第１ワイヤ状メッシュ材料から形成され、前記第１ワイヤ状メッシュ材料は、隣接するワイヤ同士の間で第１空間距離を有し、前記キックボード部は、第２ワイヤ状メッシュ材料から形成され、前記第２ワイヤ状メッシュ材料は、隣接するワイヤ同士の間で第２空間距離を有し、前記第２空間距離は、前記隣接するワイヤのうちの少なくとも一部において、前記第１空間距離より短い、請求項２記載の防護柵モジュール。
【請求項５】
前記第１ワイヤ状メッシュ材料および前記第２ワイヤ状メッシュ材料は、複数の実質的に垂直なワイヤおよび実質的に水平なワイヤを含み、それぞれの前記実質的に水平なワイヤについて、前記第２空間距離は、前記第１空間距離より短い、請求項４記載の防護柵モジュール。
【請求項６】
隣接する前記実質的に水平なワイヤ間における前記第１空間距離は、３０ｍｍ乃至８０ｍｍ、好ましくは５０ｍｍであり、隣接する前記実質的に水平なワイヤ間における前記第２空間距離は、３ｍｍ乃至２９ｍｍ、好ましくは１０ｍｍである、請求項５記載の防護柵モジュール。
【請求項７】
前記脚部ブロックは、支柱を収容するために形成された少なくとも１つの穴を含み、前記穴は、前記穴の内面を強化および保護するための管状挿入物を含む、請求項１乃至６のいずれか一項記載の防護柵モジュール。
【請求項８】
前記防護柵モジュールは、第１柵パネルである柵パネルを含み、前記防護柵モジュールの高さを増加するために、前記第１柵パネル上に第２柵パネルを収容するように構成されている、請求項１乃至７のいずれか一項記載の防護柵モジュール。
【請求項９】
作業者または物体が建造物床から下方の地面へ通過することを防止するとともに所定の高さから実質的な建造物床レベルまで下方に延びる柵パネルと、前記柵パネルに連結された支柱を収容するための少なくとも１つのおもり脚部ブロックであって、前記柵パネルを前記建造物床に対して実質的に直立する位置に保持するように構成された、脚部ブロックとを含む形式の防護柵モジュールに取り付けるためのキックボードであって、
前記キックボードは、
使用時に、パネル部材が前記柵パネルから実質的な前記建造物床レベルまで下方に延びることができるように、前記柵パネルの幅より狭い幅を有するパネル部材と、
前記パネル部材を前記柵パネルに取り外し可能に取り付けるための取付手段とを含み、
使用時に、キックボードと前記防護柵モジュールとの組合体は、建造物の建設中に前記建造物床の周縁の柵で囲む領域に立設して用いるのに適合する、キックボード。
【請求項１０】
建造物の建設中に、建造物床を保護する方法において、
請求項１乃至８のいずれか一項記載の防護柵モジュールを複数準備する工程と、
前記防護柵モジュールの隣接する前記柵パネルが、前記柵パネル同士の間の空間を最小化しながら実質的に連続的な柵を形成するように、前記建造物床の周縁の少なくとも一部分を辿って前記複数の防護柵モジュールを立設する工程とを含む、方法。
【請求項１１】
前記建造物床の周縁に前記複数の防護柵モジュールを立設する工程は、
複数の前記脚部ブロックを前記建造物床の表面上に位置決めする工程と、
前記柵パネルを前記位置決めされた脚部ブロックに連結する工程とを含む、請求項１０記載の方法。
【請求項１２】
好ましくは建造物の建設中に、建造物床の周縁の柵で囲う領域に立設して用いられる柵パネルにおいて、
第１ワイヤ状メッシュ材料から形成された第１パネル部であって、前記第１ワイヤ状メッシュ材料は、隣接するワイヤ同士の間で第１空間距離を有する、第１パネル部と、
第２ワイヤ状メッシュ材料から形成された第２パネル部であって、前記第２ワイヤ状メッシュ材料は、隣接するワイヤ同士の間で第２空間距離を有する、第２パネル部とを含み、
前記第２空間距離は、前記隣接するワイヤのうちの少なくとも一部において、前記第１空間距離より短い、柵パネル。
【請求項１３】
前記第２パネル部は、前記建造物床に隣接して配置され、前記第１パネル部は、前記建造物床に対して前記第２パネル部より上方に配置される、請求項１２記載の柵パネル。
【請求項１４】
前記第１ワイヤ状メッシュ材料および前記第２ワイヤ状メッシュ材料は、複数の実質的に垂直なワイヤおよび実質的に水平なワイヤを含み、それぞれの前記実質的に水平なワイヤについて、前記第２空間距離は、前記第１空間距離より短い、請求項１２または１３記載の柵パネル。
【請求項１５】
隣接する前記実質的に水平なワイヤ間における前記第１空間距離は、３０ｍｍ乃至８０ｍｍ、好ましくは５０ｍｍであり、隣接する前記実質的に水平なワイヤ間における前記第２空間距離は、３ｍｍ乃至２９ｍｍ、好ましくは１０ｍｍである、請求項１４記載の柵パネル。
【請求項１６】
前記第２パネル部の各端部を切り欠いて形成した凹部を更に含む、請求項１２乃至１５のいずれか一項記載の柵パネル。
【請求項１７】
好ましくは建造物の建設中に、建造物床の周縁の柵で囲う領域に立設して用いられる柵パネルを形成する方法において、
ワイヤ状メッシュパネルシートを形成する工程を少なくとも含み、
前記メッシュパネルシートは、隣接するワイヤ同士の間で第１空間距離を有する第１パネル部と、隣接するワイヤ同士の間で第２空間距離を有する第２パネル部とを含み、前記第２空間距離は、前記隣接するワイヤのうちの少なくとも一部において、前記第１空間距離より短い、方法。
【請求項１８】
前記メッシュパネルシートを所望の長さに切断する工程と、
前記第２パネル部の各端部に、内方段付き凹部を形成し、これにより、前記第２パネル部の長さを前記第１パネル部の幅より短くする工程とを更に含む、請求項１７記載の方法。
【国際調査報告】
2011501005.tif 000031
2011501005.tif 000032
2011501005.tif 000033
2011501005.tif 000034
2011501005.tif 000035